(57)【要約】【課題】製造・組立てを容易に行え、昇・降用操作が容易で、不用意な降下が無く安全なベランダ用物干し装置の提供。【解決手段】アーム３付きで縦長レール状の昇降縦杆１と、該昇降縦杆を昇降可能にベランダの側壁４等へ取付ける固定部材２とからなり、昇降縦杆は固定部材両側を挟持して摺動可能で、その縦板部６に間隔をおいて複数個の掛止用孔７を形成し、固定部材は昇降縦杆との摺動連結用部８内に、フック状先端部１１が昇降縦杆の掛止用孔７側へ向いた棒状の掛止用部片１０を横軸１２で軸支し、フック状先端部が常時は掛止用孔側へ突出する方向へ付勢する第１バネ１３と、その状態の掛止用部片を支える支承板部１４を設けると共に、該掛止用部片の側面に当接するカム部材１５と、常時は上記先端部が突出可能な方向へカム部材を付勢する第２バネを設け、かつ該カム部材を押圧可能な外部操作部片を設ける。【選択図】        図３
2006087771.tif 000002
【特許請求の範囲】
【請求項１】
アーム３付きの昇降縦杆１と、該昇降縦杆１を昇降可能にベランダの側壁４等へ取付ける固定部材２とからなり、
昇降縦杆１は縦長のレール状で、固定部材２と対向する後側に、固定部材２の両側部を側方から摺動可能に挟持する両内側縁５を有すると共に、縦板部６に縦方向へ間隔をおいて複数個の掛止用孔７を形成し、
固定部材２は、側面に昇降縦杆１の両内側縁５が係合可能な摺動用凹溝９と摺動連結用部８を有し、
該摺動連結用部８内に、フック状先端部１１が昇降縦杆１の掛止用孔７側へ向けて棒状の掛止用部片１０を横軸１２で軸支し、該フック状先端部１１が常時は掛止用孔７へ突出する方向へ付勢する第１バネ１３を設けて、その状態の掛止用部片１０を支える支承板部１４を設けると共に、
該掛止用部片１０の側面に当接するカム部材１５を横移動可能に内装して、常時は上記フック状先端部１１が突出可能な方向へカム部材１５を付勢する第２バネ１６を設け、
カム部材１５と一体の外部操作部片１７を押圧時に、該カム部材１５が掛止用部片１０を押して、上記フック状先端部１１が掛止用孔７から離脱する位置へ移動可能とした、ベランダ用物干し装置。
【請求項２】
アーム３付きの昇降縦杆１と、該昇降縦杆１を昇降可能にベランダの側壁４等へ取付ける固定部材２とからなり、
上記昇降縦杆１の上部寄り前部にブラケット１８を固着して、該ブラケット１８の前上部寄りにアーム支持軸１９を設けると共に、ブラケット１８の内後部に、水平状態時のアーム３の後端上部２０を係止する水平係止用部２１と、斜め状時のアーム３の後端上部２０を係止する斜め係止用部２２とを形成し、
かつ、上記アーム３の長手方向の側縁２３に沿って、中央部近傍から後方基部２４にかけてガイド用溝２５を形成し、該ガイド用溝２５に上記ブラケット１８のアーム支持軸１９を、アーム３の回動と摺動を可能に係合させたことを特徴とする、ベランダ用物干し装置。
【請求項３】
アーム３付きの昇降縦杆１と、該昇降縦杆１を昇降可能にベランダの側壁４等へ取付ける固定部材２とからなり、
昇降縦杆１は縦長のレール状で、固定部材２と対向する後側に、固定部材２の両側部を側方から摺動可能に挟持する両内側縁５を有すると共に、縦板部６に縦方向へ間隔をおいて複数個の掛止用孔７を形成し、
固定部材２は、側面に昇降縦杆１の両内側縁５が係合可能な摺動用凹溝９と摺動連結用部８を有し、
該摺動連結用部８内に、フック状先端部１１が昇降縦杆１の掛止用孔７側へ向いた棒状の掛止用部片１０を横軸１２で軸支し、該フック状先端部１１が常時は掛止用孔７へ突出する方向へ付勢する第１バネ１３を設けて、その状態の掛止用部片１０を支える支承板部１４を設けると共に、
該掛止用部片１０の側面に当接するカム部材１５を横移動可能に内装して、常時は上記フック状先端部１１が突出可能な方向へカム部材１５を付勢する第２バネ１６を設け、
カム部材１５と一体の外部操作部片１７を押圧時に、該カム部材１５が掛止用部片１０を押して、上記フック状先端部１１が掛止用孔７から離脱する位置へ移動可能とし、
アーム３は、上記昇降縦杆１の上部寄り前部に固着したブラケット１８の前上部寄りにアーム支持軸１９を設けると共に、ブラケット１８の内後部に、水平状態時のアーム３の後端上部２０を係止する水平係止用部２１と、斜め状時のアーム３の後端上部２０を係止する斜め係止用部２２とを形成し、
上記アーム３の長手方向の側縁２３に沿って、中央部近傍から後方基部２４にかけてガイド用溝２５を形成し、該ガイド用溝２５に上記ブラケット１８のアーム支持軸１９を、アーム３の回動と摺動を可能に係合させたことを特徴とする、ベランダ用物干し装置。
【発明の詳細な説明】
【技術分野】
【０００１】
本発明は、主にベランダに設置して物干し竿を昇降可能に支持する装置に係るものであり、製造工程での組み立てを容易にしてコストダウンを図ると共に、主婦等の使用者による操作が容易で、かつ安全性を向上させるものである。
【背景技術】
【０００２】
洗濯物等の物干し台は従来一般に、左右一対で、上部に物干し竿を支持するアームを有し、下部を例えばコンクリート製の脚台に立設された縦杆からなるものであった。しかしこれは、設置可能な面積が広い場合はよいが、例えばマンション・アパート等のベランダ内はあまり広くないため、上記脚台が常にベランダ内で一定面積を占めたり、ベランダ内の両側寄りでアームや縦杆が常に突き出していることは、ベランダの利用空間を一層狭くしてしまった。
【０００３】
そこで、ベランダ用として脚台をコンパクト化し、かつ脚台下部にキャスターを設けたものがある。
【特許文献１】特開２００２−３６９９９９号公報  これは、ベランダに設置するための床面積を少なくするが、狭いベランダの床面積をやはり脚台が占拠することになり、ベランダの活用面積を狭めていた。
【０００４】
また、物干し装置をベランダの天井部に固設するものも提案されている。
【特許文献２】実開平０６−２４６８８号公報
【特許文献３】特開２００２−５８８９７公報
【特許文献４】特開２００３−２３０７９８報  これらは、ベランダに設置するための床面積を不要とするが、建物の建築時に設置されていないと、事後の取付け工事は手間がかかって難しいし、天井からそれら装置が垂設されていることで、圧迫感を覚える住人もいる。
【０００５】
さらに、装置の一部をベランダ内の側壁や柵に固定可能として、また不使用時に嵩張らぬようにアームが上下または横向きに回動可能で、かつアームを支持する縦杆を昇降可能としたものが提案された。
【特許文献５】特開２００３−３３６００号公報
【特許文献６】特開２００３−１１７２９５号公報  これらは、ベランダ側壁や柵等へ固定する固定部材と、上部にアームを有すると共に、固定部材に沿って昇降可能な昇降縦杆とからなり、昇降縦杆には上下方向へほぼ等間隔状に数個の掛止用横孔を形成し、固定部材には、バネ力で後退して上記昇降縦杆のいずれかの横孔内へ突出する掛止用ロッドを設け、かつ上部または下部に外部から該ロッドをバネに抗して前進させる操作部片を設けたものである。
【発明の開示】
【発明が解決しようとする課題】
【０００６】
ところが、上記特許文献５及び６のベランダ用物干し装置では、物干し竿を高い位置へ上げようとする場合に、固定部材に設けた操作部片を片方の手で押し、バネ力に抗して掛止用ロッドを前進させて掛止用横孔から離脱させ、フリー状態になった昇降縦杆を他方の手で押し上げている。いまその操作部片を押すのを止めるとロッドがバネ力で後退するから、該ロッドは次ぎ位置の横孔に係合してしまい、昇降縦杆をそれ以上に押し上げられなくなる。そのため、片方の手で常に操作部片を押し続けた状態で、他方の手で昇降縦杆を押し上げる必要があり、常に両手での操作が必要であった。
【０００７】
また洗濯物等を外すため物干し竿を下ろす場合にも、片方の手で操作部片を押してバネ力に抗して掛止用ロッドを前進させ、該ロッドを一旦掛止用横孔から離脱させて昇降縦杆をフリー状態にする。これで昇降縦杆はその自重や洗濯物の重み等で下降するが、いま操作部片を押すのを止めると、バネ力で後退するロッドが必ずしも次ぎ位置の横孔にうまく係合するとは限らない。昇降縦杆が一挙に最下段まで下降してしまうことがあって危険なので、他方の手で昇降縦杆を支えながら下ろす必要があり、やはり両手で操作を行う必要があった。
【０００８】
そこで本件出願人は先に、ベランダの側壁等に固定可能な固定部材と、上部にアームを有し、固定部材との間で摺動・掛止可能な昇降縦杆とからなるもので、固定部材は、昇降縦杆と対向する面に、摺動用凹溝を両側にもつ摺動用部を設け、バネで一側方へ付勢された作動ロッドを内装し、該作動ロッドに、バネ力に抗して押圧用の操作部片と、昇降縦杆側へ突出する掛止用ピンとを設け、昇降縦杆は、上記摺動用凹溝に係合するレール部を両側に有し、バネ力に抗して後退時の掛止用ピンが当接可能な縦側壁を形成し、かつ上下方向の数箇所に、前進時の掛止用ピンが係合可能な掛止用凹溝を、奥端が上方で下端が縦側壁側で開口する斜め状に形成したものを開発した（特願２００３−４０３９６１号）。
【０００９】
このベランダ用物干し装置で物干し竿を昇・降させるには、片方の手で昇降縦杆を持ってそのまま押し上げて手を離せば、バネで押された掛止用ピンが掛止用凹溝へ係合して掛止され、または昇降縦杆を少し持ち上げて、固定部材側の操作部片を指で押せば、掛止用ピンが縦側壁１に当接した状態が維持されて、昇降縦杆は干し竿・洗濯物等の重みにより下降する。操作部片を押すのを止めれば、バネ力で掛止用ピンは次の掛止用凹溝へ係合するから、途中で掛止されるものであり、片手操作が可能となっている。
【００１０】
しかし、ここで昇降縦杆に形成した掛止用凹溝は、そこに係合した掛止用ピンが不用意に外れないように、丸孔や斜め溝ではなく特殊な形状に形成しておく必要があり、そのため昇降縦杆に該掛止用凹溝を形成するのに、手間と時間とコストがかかってしまうことが判明した。
【００１１】
本発明は、上記従来のベランダ用物干し装置が有する問題点の解消を課題としたものである。即ち本発明の目的は、製造を容易にしてコストダウンを図ると共に、主婦等の使用者による操作が容易で、かつ安全性を向上させた、ベランダ用物干し装置を提供することにある。
【課題を解決するための手段】
【００１２】
本発明に係るベランダ用物干し装置の第１は、
アーム３付きの昇降縦杆１と、該昇降縦杆１を昇降可能にベランダの側壁４等へ取付ける固定部材２とからなり、
昇降縦杆１は縦長のレール状で、固定部材２と対向する後側に、固定部材２の両側部を側方から摺動可能に挟持する両内側縁５を有すると共に、縦板部６に縦方向へ間隔をおいて複数個の掛止用孔７を形成し、
固定部材２は、側面に昇降縦杆１の両内側縁５が係合可能な摺動用凹溝９と摺動連結用部８を有し、
該摺動連結用部８内に、フック状先端部１１が昇降縦杆１の掛止用孔７側へ向けて棒状の掛止用部片１０を横軸１２で軸支し、該フック状先端部１１が常時は掛止用孔７へ突出する方向へ付勢する第１バネ１３を設けて、その状態の掛止用部片１０を支える支承板部１４を設けると共に、
該掛止用部片１０の側面に当接するカム部材１５を横移動可能に内装して、常時は上記フック状先端部１１が突出可能な方向へカム部材１５を付勢する第２バネ１６を設け、
カム部材１５と一体の外部操作部片１７を押圧時に、該カム部材１５が掛止用部片１０を押して、上記フック状先端部１１が掛止用孔７から離脱する位置へ移動可能としたものである。
【００１３】
本発明に係るベランダ用物干し装置の第２は、
アーム３付きの昇降縦杆１と、該昇降縦杆１を昇降可能にベランダの側壁４等へ取付ける固定部材２とからなり、
上記昇降縦杆１の上部寄り前部にブラケット１８を固着して、該ブラケット１８の前上部寄りにアーム支持軸１９を設けると共に、ブラケット１８の内後部に、水平状態時のアーム３の後端上部２０を係止する水平係止用部２１と、斜め状時のアーム３の後端上部２０を係止する斜め係止用部２２とを形成し、
かつ、上記アーム３の長手方向の側縁２３に沿って、中央部近傍から後方基部２４にかけてガイド用溝２５を形成し、該ガイド用溝２５に上記ブラケット１８のアーム支持軸１９を、アーム３の回動と摺動を可能に係合させてなるものである。
【００１４】
本発明に係るベランダ用物干し装置の第３は、
アーム３付きの昇降縦杆１と、該昇降縦杆１を昇降可能にベランダの側壁４等へ取付ける固定部材２とからなり、
昇降縦杆１は縦長のレール状で、固定部材２と対向する後側に、固定部材２の両側部を側方から摺動可能に挟持する両内側縁５を有すると共に、縦板部６に縦方向へ間隔をおいて複数個の掛止用孔７を形成し、
固定部材２は、側面に昇降縦杆１の両内側縁５が係合可能な摺動用凹溝９と摺動連結用部８を有し、
該摺動連結用部８内に、フック状先端部１１が昇降縦杆１の掛止用孔７側へ向いた棒状の掛止用部片１０を横軸１２で軸支し、該フック状先端部１１が常時は掛止用孔７へ突出する方向へ付勢する第１バネ１３を設けて、その状態の掛止用部片１０を支える支承板部１４を設けると共に、
該掛止用部片１０の側面に当接するカム部材１５を横移動可能に内装して、常時は上記フック状先端部１１が突出可能な方向へカム部材１５を付勢する第２バネ１６を設け、
カム部材１５と一体の外部操作部片１７を押圧時に、該カム部材１５が掛止用部片１０を押して、上記フック状先端部１１が掛止用孔７から離脱する位置へ移動可能とし、
アーム３は、上記昇降縦杆１の上部寄り前部にブラケット１８を固着して、該ブラケット１８の前上部寄りにアーム支持軸１９を設けると共に、ブラケット１８の内後部に、水平状態時のアーム３の後端上部２０を係止する水平係止用部２１と、斜め状時のアーム３の後端上部２０を係止する斜め係止用部２２とを形成し、
上記アーム３の長手方向の側縁２３に沿って、中央部近傍から後方基部２４にかけてガイド用溝２５を形成し、該ガイド用溝２５に上記ブラケット１８のアーム支持軸１９を、アーム３の回動と摺動を可能に係合させてなるものである。
【００１５】
なお上記で、先端部１１のフック状とは、先端部１１が昇降部材１の掛止用孔７から不用意に離れないためのものであり、鉤型状等も含む意味で用いている。
【発明の効果】
【００１６】
上記本発明に係るベランダ用物干し装置は次のような作用・効果を奏するが、このベランダ用物干し装置も他の一般の物干し装置と同様に両側に一対のもので構成されている。ここでは説明の重複を避けるため片側のものについて説明する。
【００１７】
ａ）このベランダ用物干し装置を製造する場合に、昇降縦杆１、固定部材２、アーム３は、例えばアルミダイカストによれば容易に製造できる。また掛止用部片１０等を内装した摺動連結用部８は、本体部分２６と蓋部分２７とで構成してネジ２８で固定する構造にしておけば（例えば図４，図５参照）、組み立ても容易・迅速に行うことができる。また昇降縦杆１に形成する掛止用孔７は、特別な形状にする必要はなく例えば単なる丸孔でよいので、その加工を容易に行えてこの面からもコストダウンを図れる。
【００１８】
ｂ）このベランダ用物干し装置の取付けは、ベランダの側壁３または柵へ一対の固定部材１を、各々固定用ボルト２９で固定すればよく（例えば図１参照）、取付け工事は建物の建築後においても容易に取り付けることができる。
【００１９】
ｃ）このベランダ用物干し装置を使用しない場合は、昇降縦杆１を下方位置へ下げておけばよく（例えば上記図１の実線，図９参照）、またアーム４はアーム支持軸１９で回動させて起立状態にして、ガイド用溝２５に沿って下降させておけばよいので嵩張らず、ベランダの有効利用な空間が狭くならない。またその際にアーム３は、ガイド用溝２５の中央部寄り部分が支持軸１９で係止され、背が低くなっている（例えば上記図１参照）。
【００２０】
ｄ）このベランダ用物干し装置を、洗濯物等を干すために上方へ上げる場合は、片方の手で昇降縦杆１を持って、そのまま押し上げるだけの操作で行うことができる。
即ち、固定部材２の摺動連結用部８内に横軸１２で軸装した掛止用部片１０は、第１バネ１３の付勢を受けてフック状先端部１１が昇降縦杆１の縦板部６側へ突出しようとしているが、掛止用孔７の無い部分では縦板部６に当接することで、第１バネ１３の力に抗して突出状態になっていないから（例えば図３の二点鎖線参照）、昇降縦杆１の上昇の支障とならない。
【００２１】
上昇する昇降縦杆１の掛止用孔７が、第１バネ１３で付勢された掛止用部片１０のフック状先端部１１の位置にくると、掛止用部片１０のフック状先端部１１が掛止用孔７へ一旦係合気味となって孔周縁部に当たり、「カタ」と音を発するが、そのまま昇降縦杆１を押し上げればそこを通過する。
【００２２】
昇降縦杆１が所望の高さになった場合にも、掛止用部片１０のフック状先端部１１がその位置の掛止用孔７の周縁部に当たって音を発するので、そこで昇降縦杆１を押し上げるのを止めればよい。上記の如く掛止用部片１０は第１バネ１３で付勢されて、フック状先端部１１が縦板部６側へ突出しようとしているので、直ちにその位置での掛止用孔７内へ係合することになる（例えば上記図１，図３の実線参照）。
【００２３】
この状態で昇降縦杆１を押し上げるのを止めて手を離しても、該昇降縦杆１の掛止用孔７に、掛止用部片１０の突出したフック状先端部１１が係合し、かつ該掛止用部片１０はその状態で支承板部１４で支承されている（例えば上記図３の実線参照）。そのため、昇降縦杆１等の荷重が加わっても、掛止用部片１０は下方へ移動することはなく、昇降縦杆１はフック状先端部１１で掛止されているから、その高さが維持できる。また不用意に下降することも無く安全性に優れている。
【００２４】
仮に固定部材２の外部操作部片１７に不用意な力が作用した場合でも、上記のように支承板部１４で支承された掛止用部片１０は、フック状先端部１１が掛止用孔７に係合し、そこに昇降縦杆１等の荷重が加わっているので、該掛止用部片１０は言わば鎖錠状態にある。そのため、外部操作部片１７に不用意な外力が加わっても、カム部材１５が掛止用部片１０を移動させることは阻止されており、フック状先端部１１も移動しないから昇降縦杆１が不用意に下降することが防止できている。
【００２５】
ｅ）他方アーム３は、不使用時には上記のように、ブラケット１８前上部寄りのアーム支持軸１９で垂直状に支持しておけばよい。該アーム３を水平状に開くには、アーム３をガイド用溝２５に沿って上方へ引き出し、該ガイド用溝２５の後端部がアーム支持軸１９の位置にくるようにして、アーム３を前方へ倒せばよい。
【００２６】
この場合に、アーム３後端の被係止部２０がブラケット１８の水平係止用部２１で係止されるので、それ以上に下方へ回動することが防止されて水平状態が維持される（例えば図１０参照）。もし該アーム３を斜め上方を向いた状態に開く場合は、アーム３が斜め上方を向いた状態にして、後端の被係止部２０をブラケット１８の斜め係止用部２２に係止させればよい（例えば図１１参照）。これらの状態で、両側のアーム３間に物干し竿３０を掛け渡して物を干せばよい。
【００２７】
ｆ）次に、洗濯物等を取り入れるために昇降縦杆１を下降させる場合も、昇降縦杆１を一旦少し持ち上げればよい。これにより、上記の如く掛止用孔７の位置が上昇し、掛止用部片１０のフック状先端部１１は後退して掛止用孔７から外れ、フック状先端部１１は縦板部６に当接状態になるから、掛止用部片１０の掛止状態が解かれる（例えば上記図３の２点鎖線参照）。
【００２８】
この状態で、外部操作部片１７を押すことにより、カム部材１５が第２バネ１６に抗して横移動し、掛止用部片１０を押してフック状先端部１１が後退した状態（例えば上記図８参照）に保つから、昇降縦杆１は下降可能となる。該昇降縦杆１を持ちながら下降させれば、昇降縦杆１は最下段まで下降させることができるようになる。
【００２９】
もし昇降縦杆１を途中の高さまで下降させたい場合は、昇降縦杆１が下降して上の段の掛止用孔７がフック状先端部１１の位置へ下降して一旦係合気味となった時点で、外部操作部片１７を押すのを止めればよい。第１バネ１３の付勢を受けた掛止用部片１０のフック状先端部１１が突出し掛止用孔７へ係合するから、昇降縦杆１の下降は停止してその高さが維持される。
【００３０】
なお、昇降縦杆１が下降する途中で外部操作部片１７を押すことを止めれば、昇降縦杆１は少し下降するが、上の段の掛止用孔７がフック状先端部１１の位置へきた際に、上記と同じように、第１バネ１３の付勢を受けた掛止用部片１０のフック状先端部１１が自動的突出して、掛止用孔７へ係合する。そのため、昇降縦杆１が一挙に最下段まで下降してしまうことが防止でき、危険性が解消されている。
【発明を実施するための最良の形態】
【００３１】
アーム３付きの昇降縦杆１と、該昇降縦杆１を昇降可能にベランダの側壁４等へ取付ける固定部材２とを具備する。上記昇降縦杆１は、前・後で二重に縦板部６を有する縦長レール状で、固定部材２と対向する後側に、固定部材２両側部を側方から摺動可能に挟持する両内側縁５を有すると共に、内側の縦板部６に縦方向へ等間隔状で複数個の丸形の掛止用孔７を形成する。
【００３２】
上記固定部材２は、上・下部に昇降縦杆１の両内側縁５が可摺動に係合可能な摺動用凹溝９をもつ摺動連結用部８を有し、上側の摺動連結用部８内に、棒状掛止用部片１０を、フック状先端部１１が上記縦板部６へ向けてやや上斜め状になるように横軸１２で支承して、そのフック状先端部１１が常時は掛止用孔７へ係合可能に突出すべく付勢する棒状の第１バネ１３を設けると共に、その状態の掛止用部片１０の下面を受ける支承板部１４を設ける。
【００３３】
また上記摺動連結用部８内には、掛止用部片１０の下側面に当接する傾斜上面１５ａをもつカム部材１５を横移動可能に内装すると共に、常時はその傾斜上面１５ａの低い部分が掛止用部片１０下側面へ当接する方向へ付勢するコイル状の第２バネ１６を設けおく。これで、上記カム部材１５と一体的な外部操作部片１７を内方へ押圧時に、カム部材１５の傾斜上面１５ａの高い部分が掛止用部片１０を押し上げて起立状とし、フック状先端部１１が昇降縦杆１の掛止用孔７から離脱する位置へ移動可能としておく。
【００３４】
他方アーム３は、上記昇降縦杆１の上部寄り前部にブラケット１８を固着して、該ブラケット１８前上部寄りにアーム支持軸１９を設けると共に、後部に水平状時のアーム３後端の被係止部２０を係止する水平係止用部２１と、斜め状時のアーム３後端の被係止部２０を係止する斜め係止用部２２とを形成する。
【００３５】
また、上記アーム３の長手方向の側縁の両側に、それに沿って中央部近傍から後部にかけてガイド用溝２５を形成して、該各ガイド用溝２５に上記ブラケット１８のアーム支持軸１９を各々係合させて、アーム３を垂直方向への回動と摺動を可能としておく。
【実施例１】
【００３６】
図１ないし図１２は、本発明に係るベランダ用物干し装置の実施例を示し、ここではベランダの側壁４に固定可能な縦向きの固定部材２と、上部に竿掛け用アーム３を有し、固定部材２との間で上下方向へ摺動可能な縦長の昇降縦杆１とからなる。
【００３７】
上記昇降縦杆１は、前・後で二重に縦板部６を有する縦長レール状で、ここではアルミ合金製で幅および奥行きが各約４０ｍｍ、縦方向に約９００ｍｍの長さを有する。そして固定部材２と対向する面には、両側縁を約８ｍｍ幅で直角に折り曲げて、固定部材２両側の摺動用凹溝９に係合する両内側縁５を有すると共に、開口した縦凹所３１内の縦板部６に、縦方向へ等間隔状にこごでは３箇所に掛止用孔７を形成してある。該掛止用孔７は丸孔でよい。
【００３８】
上記固定部材２は、ここではアルミダイカスト製で、横幅が約４０ｍｍ、縦に約２６０ｍｍの縦長状で、上記昇降縦杆１と対向する面の上・下部に各々、手前側へ約４０ｍｍほど突出した摺動連結用部８を有する。ここでは、各摺動連結用部８の両側に、昇降縦杆１の両内側縁５が係合可能な摺動用凹溝９を形成してある。
【００３９】
上側の摺動連結用部８は、ここでは前・後二分割式としてあり、本体部分２６の側壁に縦長孔３２を形成して、長さ約６０ｍｍの棒状で、掛止用のフック状先端部１１をもつ掛止用部片１０の基部寄り部分を通挿し、かつ該フック状先端部１１が昇降縦杆１の縦板部６の掛止用孔７へ係合可能に突出するように、基部を横軸１２で可回動に軸支してある。ここで先端部１１がフック状とは、上記の如く掛止用孔７から不用意に外れないためであり、鉤型のものを含む意味で用いている。
【００４０】
また該本体部分２６と係合してネジ２８で連結する蓋部分２７には、ここでは上記掛止用部片１０のフック状先端部１１寄り部分を通挿する縦長孔３３と、フック状先端部１１が突出状態のフック状先端部寄り部分の下側面を支承する斜め状の支承板部１４を形成してあり、かつ該掛止用部片１０の上側面をフック状先端部１１が突出状態になるように下方へ付勢する第１バネ１３を当接して設けてある。該第１バネ１３はここでは湾曲状のバネ線を用いている。
【００４１】
そして、該摺動連結用部８の本体部分２６と蓋部分２７との対向面に、横孔を形成するように各々横向き凹所３４ａ，３４ｂを形成して、そこに外部操作部片１７と一体のカム部材１５を横移動可能に内装してある。該カム部１５は、ここでは上側面が先寄りで低く徐々に高くなる三角形状をしており、その先端側に圧縮コイル状の第２バネ１６を設けることで、常時はカム部材１５の上側面の低い部分が掛止用部材１０の基部寄りの下側面に当接するようにしてある。
【００４２】
これにより、掛止用部材１０は、常時は水平面に対して約２０度の傾斜状態にあり、そのフック状先端部１１が上記の如く昇降縦杆１の縦板部６や掛止用孔７側へ突出状態になっている（上記図３の実線、図６参照）。外側の操作部片１７を内方へ押圧時に、第２バネ１５に抗してカム部材１５が横移動し、該カム部材１５の高い上側面が掛止用部材１０の下側面を上方へ押し上げ、掛止用部片１０を上方へ回動させる。これで、掛止用部片１０がここでは水平面に対して４０度の傾斜状態となり、フック状先端部１１が縦板部６の掛止用孔７から離れる方向へ移動可能としてある（図８参照）。
【００４３】
他方アーム３は、上記昇降縦杆１の上部寄り前部に設けたブラケット１８を介して、横軸の周りに回動可能で、かつ前後へ摺動可能に設けてある。
即ち、昇降縦杆１の上部寄り前部にブラケット１８を固定してあるが、これは昇降縦杆１の上部寄り前部内に固定補助板３５を内装させ、ブラケット１８の縦長状基部３６を固定用ネジ３７にて固定してある。
【００４４】
該ブラケット１８は、ここではアルミダイカスト製で、２枚の縦向き側板部３８を約１８ｍｍの間隔で有しており、その手前側（昇降縦杆１と反対側）の上部寄りに、アーム支持軸１９を設けてある。該アーム支持軸１９は、ここでは亜鉛ダイカスト製で、各側板部３８から内方へ向けて対向状に横設してあり（図１２参照）、側板部３８との間では可回動に断面丸形状で、アーム３の摺動用凹溝９との間では係合して摺動可能に断面四角形としてある。
【００４５】
また該ブラケット１８の内の後方基部の上部には、水平状態時のアーム３後端の被係止部２０を係止可能にここでは凹凸状の水平係止用部２１と、その下部に、斜め状時のアーム３後端の被係止部２０を係止可能に凹凸状の斜め係止用部２２とを形成してある（図１０，図１１参照）。
【００４６】
上記アーム３は、ここではアルミダイカスト製で、長さが約６５０ｍｍ、水平状態時の縦幅が約６０ｍｍの横長状で、その周囲の側縁２３は上記ブラケット１８の側板部３８間へ係合可能に約１５ｍｍ幅としてあり、かつ先部寄りから後方基部２４寄りにかけて、軽量化を兼ねた竿掛け用孔３９を数箇所形成してある。
【００４７】
該アーム３が水平状態時の上側の側縁２３の両側には、長手方向中央から後方基部２４寄にかけてガイド用溝２５を形成してあるが（図１０参照）、ここでは縦幅約８ｍｍ、奥行き約８ｍｍのものにしてある。該両側ガイド用溝２５には、上記ブラケット１８の両側板部３８から各々上記アーム支持軸１９を係合させてあり（上記図１２参照）、アーム３が回動可能で、かつ長手方向へ摺動可能としてある。
【００４８】
なお、上記ブラケット１８の両側板３８間で、アーム３が回動・摺動時に振動や騒音が生じるのを防止するため、アーム支持軸１９の部分を中心にここではナイロン製のワッシャー４０を介在させてある。上記実施例の説明で示した材質・寸法等はそれに限るものでないことは勿論である。上記実施例による作用・効果は、先に発明の効果の項で述べたことから明らかであるから、重複を避けるため省略する。
【図面の簡単な説明】
【００４９】
【図１】本発明に係るベランダ用物干し装置の使用状態を示す一部切欠き全体側面図である。
【図２】図１で示したものの固定部材を示す斜視図である。
【図３】図１で示したものの要部の一部切欠き拡大側面図である。
【図４】図２で示したものの一部拡大斜視図である。
【図５】図２で示したものの裏側の一部拡大斜視図である。
【図６】図４で示したものの蓋部分を外した状態の斜視図である。
【図７】図４で示したものの蓋部分の内側の斜視図である。
【図８】図６で示したもので、外部操作部片を押圧時の状態を示す斜視図である。
【図９】図１で示したものでアームが垂直状時の要部の一部切欠き側面図である。
【図１０】図１で示したものでアームが水平状態時の要部の一部切欠き側面図である。
【図１１】図１で示したものでアームが斜め上方を向いた状態時の要部の一部切欠き側面図である。
【図１２】図１０のＩ−Ｉ線拡大断面図である。
【符号の説明】
【００５０】
１−昇降縦杆
２−固定部材
３−アーム
４−側壁
５−内側縁
６−縦板部
７−掛止用孔
８−摺動連結用部
９−摺動用凹溝
１０−掛止用部片
１１−フック状先端部
１２−横軸
１３−第１バネ
１４−支承板部
１５−カム部材
１６−第２バネ
１７−外部操作部片
１８−ブラケット
１９−アーム支持軸
２０−被掛止部
２１−水平係止用部
２２−斜め係止用部
２３−側縁
２４−後方基部
２５−ガイド用溝
２６−本体部分
２７−蓋部分
２８−ネジ
２９−固定用ボルト
３０−物干し竿
３１−縦凹所
３２−縦長孔
３３−縦長孔
３４−凹所
３５−固定補助板
３６−縦長基部
３７−固定用ネジ
３８−側板部
３９−竿掛け用孔
４０−ワッシャー
【図１】
2006087771.tif 000003
【図２】
2006087771.tif 000004
【図３】
2006087771.tif 000005
【図４】
2006087771.tif 000006
【図５】
2006087771.tif 000007
【図６】
2006087771.tif 000008
【図７】
2006087771.tif 000009
【図８】
2006087771.tif 000010
【図９】
2006087771.tif 000011
【図１０】
2006087771.tif 000012
【図１１】
2006087771.tif 000013
【図１２】
2006087771.tif 000014